(57)【要約】【課題】リレーとリレーボックスとを備えた電子装置が占める占有スペースの肥大化を抑制する。【解決手段】リレー２０の第１オス端子２２がリレーボックス３０の第１メス端子３２に嵌め入れられた際に、その第１メス端子３２の傾斜部３２６は、第１オス端子２２の先端部２２３が傾斜面３２６ａに沿った姿勢になるように弱剛性部２２２を曲げる。従って、リレー装着状態を保持する抜止め防止構造を、第１オス端子２２自体に備えさせることが可能である。そのため、リレー２０とリレーボックス３０とのそれぞれのハウジングにロック構造を設ける必要がないので、電子装置１０の占有スペースの肥大化を抑制することが可能である。【選択図】図６
2018101537.tif 000002
【特許請求の範囲】
【請求項１】
板状のオス端子（２２）と、該オス端子が一軸方向（ＤＲ１）の一方側から嵌め入れられることにより該オス端子に電気的に接続されるメス端子（３２）との一方を備えた電磁継電器であって、
前記メス端子は、前記一軸方向に直交する前記オス端子の板厚方向（ＤＲ２）に前記オス端子を挟圧するメス側挟圧部（３２１）と、該メス側挟圧部に対し前記一軸方向の前記一方側とは反対側の他方側に配置された傾斜部（３２６）とを有し、
該傾斜部は、前記一軸方向の前記他方側よりは前記一方側を向くように前記一軸方向に対して傾いた傾斜面（３２６ａ）を有し、
前記オス端子は、前記メス側挟圧部に挟圧される被挟圧部（２２１）と、該被挟圧部よりも前記一軸方向の前記他方側に設けられた先端部（２２３）と、前記被挟圧部と前記先端部との間に位置し前記被挟圧部に比して曲がり易い弱剛性部（２２２）とを有し、
前記オス端子が前記メス端子に嵌め入れられた際に、前記傾斜部は、前記先端部が前記傾斜面に沿った姿勢になるように前記弱剛性部を曲げることを特徴とする電磁継電器。
【請求項２】
前記弱剛性部は、前記被挟圧部に比して薄く形成されることと、前記被挟圧部に比して幅狭に形成されることとの何れか又は全部により、前記被挟圧部に比して曲がり易くなっていることを特徴とする請求項１に記載の電磁継電器。
【請求項３】
前記メス側挟圧部は、前記板厚方向に厚みを有する板状の板状部（３２２）と、該板状部に対し前記板厚方向の一方側に配置され弾性変形可能に構成された弾性部（３２３）とを有し、前記弾性部の弾性力によって前記板状部と前記弾性部との間で前記被挟圧部を挟圧し、
前記傾斜部は前記板状部から延設され、
前記傾斜面は、前記一軸方向の前記他方側ほど前記板厚方向の前記一方側に位置するように前記一軸方向に対して傾いていることを特徴とする請求項１または２に記載の電磁継電器。
【請求項４】
前記オス端子と前記メス端子とのうち該オス端子を備えたことを特徴とする請求項１ないし３のいずれか１つに記載の電磁継電器。
【請求項５】
第１オス端子としての前記オス端子のほかに、第２オス端子（２３）を備え、
該第２オス端子は、前記弱剛性部を有していないことを特徴とする請求項４に記載の電磁継電器。
【請求項６】
板状のオス端子（２２）と該オス端子が一軸方向（ＤＲ１）の一方側から嵌め入れられることにより該オス端子に電気的に接続されるメス端子（３２）との一方を備えた電磁継電器（２０）と、該オス端子と該メス端子との他方を備えた相手側電気機器（３０）とを含んで構成された電子装置であって、
前記メス端子は、前記一軸方向に直交する前記オス端子の板厚方向（ＤＲ２）に前記オス端子を挟圧するメス側挟圧部（３２１）と、該メス側挟圧部に対し前記一軸方向の前記一方側とは反対側の他方側に配置された傾斜部（３２６）とを有し、
該傾斜部は、前記一軸方向の前記他方側よりは前記一方側を向くように前記一軸方向に対して傾いた傾斜面（３２６ａ）を有し、
前記オス端子は、前記メス側挟圧部に挟圧される被挟圧部（２２１）と、該被挟圧部よりも前記一軸方向の前記他方側に設けられた先端部（２２３）と、前記被挟圧部と前記先端部との間に位置し前記被挟圧部に比して曲がり易い弱剛性部（２２２）とを有し、
前記オス端子が前記メス端子に嵌め入れられた状態において、前記弱剛性部が曲がることにより前記先端部は前記傾斜面に沿った姿勢になっていることを特徴とする電子装置。
【請求項７】
前記電磁継電器は前記オス端子を備え、前記相手側電気機器は前記メス端子を備えたことを特徴とする請求項６に記載の電子装置。
【請求項８】
板状のオス端子（２２）とメス端子（３２）との一方を備えた電磁継電器（２０）と、該オス端子と該メス端子との他方を備えた相手側電気機器（３０）とを含んで構成された電子装置の製造方法であって、
前記電磁継電器と前記相手側電気機器とを用意する準備工程（Ｓ０１）と、
前記オス端子を一軸方向（ＤＲ１）の一方側から嵌め入れることにより前記メス端子に前記オス端子を電気的に接続する接続工程（Ｓ０２）とを含み、
前記メス端子は、前記一軸方向に直交する前記オス端子の板厚方向（ＤＲ２）に前記オス端子を挟圧するメス側挟圧部（３２１）と、該メス側挟圧部に対し前記一軸方向の前記一方側とは反対側の他方側に配置された傾斜部（３２６）とを有し、
該傾斜部は、前記一軸方向の前記他方側よりは前記一方側を向くように前記一軸方向に対して傾いた傾斜面（３２６ａ）を有し、
前記オス端子は、前記メス側挟圧部に挟圧される被挟圧部（２２１）と、該被挟圧部よりも前記一軸方向の前記他方側に設けられた先端部（２２３）と、前記被挟圧部と前記先端部との間に位置し前記被挟圧部に比して曲がり易い弱剛性部（２２２）とを有し、
前記接続工程では、前記オス端子を前記メス端子に嵌め入れた際に、前記先端部が前記傾斜面に沿った姿勢になるように前記弱剛性部が前記傾斜部によって曲げられることを特徴とする電子装置の製造方法。
【発明の詳細な説明】
【技術分野】
【０００１】
本発明は、電磁継電器と、その電磁継電器を備えた電子装置と、その電子装置の製造方法とに関するものである。
【背景技術】
【０００２】
特許文献１には、リレー（すなわち、電磁継電器）と、そのリレーが装着されるリレーボックスとしてのソケットとが記載されている。このリレーはオス端子を備え、リレーボックスは、そのオス端子が電気的に接続されるメス端子を備えている。リレーのオス端子は、リレーボックスのメス端子に嵌合することでそのメス端子に電気的に接続される。
【０００３】
そして、リレーボックスに装着されたリレーが車載での振動や衝撃などに起因してそのリレーボックスから抜けることを防止するために、リレーの本体外殻を構成するリレーケースには凸部が設けられ、リレーボックスには、そのリレーケースの凸部が嵌め入れられる凹状または孔状のロック部が設けられている。その凸部がロック部に嵌め入れられることで、リレーがリレーボックスに装着された装着状態は保持される。
【０００４】
また、特許文献２に記載されたリレーは、例えばリレーボックスに装着されるものであり、リレーのオス端子は、そのリレーボックスのメス端子に電気的に接続される。特許文献２のリレーは、そのリレーの本体ケースから延設されたスカート部を備えている。そのスカート部はリレーのオス端子を取り囲むように形成され、リレーボックスには、そのスカート部と嵌合するコネクタが設けられる。そして、リレーのスカート部には凹状のロック部が設けられ、リレーボックスのコネクタには、そのロック部へ嵌め入れられる凸部が設けられる。そのコネクタの凸部がリレーのロック部に嵌め入れられることで、リレーの装着状態は保持される。
【先行技術文献】
【特許文献】
【０００５】
【特許文献１】実開平２−１２６３８９号公報
【特許文献２】特開平６−６０７８５号公報
【発明の概要】
【発明が解決しようとする課題】
【０００６】
特許文献１、２の何れでも、リレーとそのリレーが装着されるリレーボックスは、リレーの装着状態を保持するために凸部とロック部とが互いに嵌合するロック構造を備える必要がある。しかし、特許文献１、２に示された何れの構成でも、そのロック構造は、オス端子およびメス端子を取り囲む端子周辺部位に配置される。そのため、このようなロック構造は、リレーおよびリレーボックスから構成される電子装置の占有スペースを肥大化させることにつながっていた。
【０００７】
本発明は上記点に鑑みて、電子装置の占有スペースの肥大化を抑制することができる電磁継電器と、その電磁継電器を備えた電子装置と、その電子装置の製造方法とを提供することを目的とする。
【課題を解決するための手段】
【０００８】
上記目的を達成するため、請求項１に記載された電磁継電器は、
板状のオス端子（２２）と、そのオス端子が一軸方向（ＤＲ１）の一方側から嵌め入れられることによりそのオス端子に電気的に接続されるメス端子（３２）との一方を備えた電磁継電器であって、
メス端子は、一軸方向に直交するオス端子の板厚方向（ＤＲ２）にオス端子を挟圧するメス側挟圧部（３２１）と、そのメス側挟圧部に対し一軸方向の一方側とは反対側の他方側に配置された傾斜部（３２６）とを有し、
その傾斜部は、一軸方向の他方側よりは一方側を向くように一軸方向に対して傾いた傾斜面（３２６ａ）を有し、
オス端子は、メス側挟圧部に挟圧される被挟圧部（２２１）と、その被挟圧部よりも一軸方向の他方側に設けられた先端部（２２３）と、被挟圧部と先端部との間に位置し被挟圧部に比して曲がり易い弱剛性部（２２２）とを有し、
オス端子がメス端子に嵌め入れられた際に、傾斜部は、先端部が傾斜面に沿った姿勢になるように弱剛性部を曲げることを特徴とする。
【０００９】
このようにすれば、オス端子が相手側のメス端子に嵌め入れられた端子嵌入状態を保持する抜止め防止構造を、そのオス端子自体に備えさせることが可能である。そのため、特許文献１または特許文献２に記載された上記のロック構造が不要になるので、電磁継電器とその相手側である電気機器とを備えた電子装置の占有スペースの肥大化を抑制することが可能である。
【００１０】
また、請求項６に記載された電子装置は、
板状のオス端子（２２）とそのオス端子が一軸方向（ＤＲ１）の一方側から嵌め入れられることによりそのオス端子に電気的に接続されるメス端子（３２）との一方を備えた電磁継電器（２０）と、そのオス端子とそのメス端子との他方を備えた相手側電気機器（３０）とを含んで構成された電子装置であって、
メス端子は、一軸方向に直交するオス端子の板厚方向（ＤＲ２）にオス端子を挟圧するメス側挟圧部（３２１）と、そのメス側挟圧部に対し一軸方向の一方側とは反対側の他方側に配置された傾斜部（３２６）とを有し、
その傾斜部は、一軸方向の他方側よりは一方側を向くように一軸方向に対して傾いた傾斜面（３２６ａ）を有し、
オス端子は、メス側挟圧部に挟圧される被挟圧部（２２１）と、その被挟圧部よりも一軸方向の他方側に設けられた先端部（２２３）と、被挟圧部と先端部との間に位置し被挟圧部に比して曲がり易い弱剛性部（２２２）とを有し、
オス端子がメス端子に嵌め入れられた状態において、弱剛性部が曲がることにより先端部は傾斜面に沿った姿勢になっていることを特徴とする。
【００１１】
このようにすれば、上記請求項１に記載されたものと同様に、抜止め防止構造をオス端子自体に備えさせることが可能である。従って、電子装置の占有スペースの肥大化を抑制することが可能である。
【００１２】
また、請求項８に記載された電子装置の製造方法は、
板状のオス端子（２２）とメス端子（３２）との一方を備えた電磁継電器（２０）と、そのオス端子とそのメス端子との他方を備えた相手側電気機器（３０）とを含んで構成された電子装置の製造方法であって、
電磁継電器と相手側電気機器とを用意する準備工程（Ｓ０１）と、
オス端子を一軸方向（ＤＲ１）の一方側から嵌め入れることによりメス端子にオス端子を電気的に接続する接続工程（Ｓ０２）とを含み、
メス端子は、一軸方向に直交するオス端子の板厚方向（ＤＲ２）にオス端子を挟圧するメス側挟圧部（３２１）と、そのメス側挟圧部に対し一軸方向の一方側とは反対側の他方側に配置された傾斜部（３２６）とを有し、
その傾斜部は、一軸方向の他方側よりは一方側を向くように一軸方向に対して傾いた傾斜面（３２６ａ）を有し、
オス端子は、メス側挟圧部に挟圧される被挟圧部（２２１）と、その被挟圧部よりも一軸方向の他方側に設けられた先端部（２２３）と、被挟圧部と先端部との間に位置し被挟圧部に比して曲がり易い弱剛性部（２２２）とを有し、
接続工程では、オス端子をメス端子に嵌め入れた際に、先端部が傾斜面に沿った姿勢になるように弱剛性部が傾斜部によって曲げられることを特徴とする。
【００１３】
このようにすれば、占有スペースの肥大化を抑制することが可能な電子装置を構成することができる。
【００１４】
なお、特許請求の範囲およびこの欄で記載した括弧内の各符号は、後述する実施形態に記載の具体的内容との対応関係を示す一例である。
【図面の簡単な説明】
【００１５】
【図１】第１実施形態の電子装置を模式的に示した正面図であって、その電子装置のうちリレーボックスのボックスケースを断面図示した図である。
【図２】図１におけるII矢視図であって、その電子装置のうちリレーボックスのボックスケースを断面図示した図である。
【図３】第１実施形態において、リレーボックスへ装着される前のリレー単体を模式的に示した図であって、図１と同じ図示方向でリレーを示した図である。
【図４】図３におけるIV矢視図であって、リレーボックスへ装着される前のリレー単体を示した図である。
【図５】図３におけるV矢視図であって、リレーボックスへ装着される前のリレー単体を示した図である。
【図６】図２のVI−VI断面を示した断面図のうち、第１オス端子と第１メス端子との接触部分を抜粋して示した図である。
【図７】図２のVII−VII断面を示した断面図である。
【図８】図１の電子装置の製造方法を説明するためのフローチャートである。
【発明を実施するための形態】
【００１６】
以下、図面を参照しながら、本発明の実施形態を説明する。なお、後述する他の実施形態を含む以下の各実施形態相互において、互いに同一もしくは均等である部分には、図中、同一符号を付してある。
【００１７】
（第１実施形態）
図１は本実施形態の電子装置１０の正面図であり、図２は、図１におけるII矢視図である。図１および図２に示すように、この電子装置１０は、リレー２０と、そのリレー２０が装着されるリレー装着ユニットとしてのリレーボックス３０とを含んで構成されている。なお、図１および図２では、リレーボックス３０のボックスケース３１が断面図示されている。
【００１８】
リレー２０は、一対の電気接点を接離させて電気回路を開閉する電磁継電器である。図３〜図５に示すように、リレー２０は、リレー本体部２１と複数の第１オス端子２２と複数の第２オス端子２３とを備えている。なお、第１オス端子２２と第２オス端子２３とを特に区別しない場合には、単にオス端子２２、２３とも言う。また、図３〜図５は何れも、リレーボックス３０へ装着される前のリレー２０単体を示している。
【００１９】
リレー本体部２１は、リレー本体ケース２１１と、電気接点などを含む電気回路とを有している。そのリレー本体ケース２１１は、その内部に電気回路を収容している。
【００２０】
また、リレー本体部２１は、複数のオス端子２２、２３に対し一軸方向ＤＲ１の一方側に設けられている。そのオス端子２２、２３それぞれの長手方向は、その一軸方向ＤＲ１に一致している。すなわち、各オス端子２２、２３は、一軸方向ＤＲ１に沿って、そのリレー本体部２１から一軸方向ＤＲ１の一方側とは反対側の他方側へと突き出ている。複数のオス端子２２、２３はそれぞれ、銅合金など金属製の板部材から構成されている。
【００２１】
また、リレー２０の第１オス端子２２は、一軸方向ＤＲ１に直交する方向に板厚を有する板形状を成している。すなわち、板状の第１オス端子２２の板厚方向ＤＲ２は、一軸方向ＤＲ１に直交する方向となっている。なお、上記の２つの方向が直交することは、数学的に９０度で交差することのみに限定されるわけではなく、技術常識の範囲内で直交とみなせる態様を含んでいる。
【００２２】
リレー２０の第２オス端子２３も、一軸方向ＤＲ１に直交する方向に板厚を有する板形状を成している。但し、第２オス端子２３の板厚方向は、第１オス端子２２の板厚方向ＤＲ２にも直交する方向となっている。
【００２３】
図１および図２に示すように、リレーボックス３０は、リレー２０が装着される相手側としての相手側電気機器である。
【００２４】
リレーボックス３０は、ボックスケース３１と複数の第１メス端子３２と複数の第２メス端子３３とを備えている。その複数の第１メス端子３２は、リレー２０が有する複数の第１オス端子２２それぞれに電気的に接続され、複数の第２メス端子３３は、リレー２０が有する複数の第２オス端子２３それぞれに電気的に接続される。なお、第１メス端子３２と第２メス端子３３とを特に区別しない場合には、単にメス端子３２、３３とも言う。複数のメス端子３２、３３はそれぞれ、銅合金など金属製の板部材が曲げ加工されることにより構成されている。
【００２５】
ボックスケース３１はリレーボックス３０の外殻を成している。ボックスケース３１は、そのボックスケース３１の内部に複数のメス端子３２、３３を収容している。また、ボックスケース３１は、それぞれのメス端子３２、３３を保持している。すなわち、そのボックスケース３１は、それぞれのメス端子３２、３３を保持する不図示の端子保持構造を、ボックスケース３１の内部に備えている。これらのメス端子３２、３３は何れもファストン（登録商標）型の端子である。
【００２６】
リレー２０がリレーボックス３０に装着されたリレー装着状態においては、リレー本体部２１はリレーボックス３０に対し一軸方向ＤＲ１の一方側に配置されている。
【００２７】
また、ボックスケース３１には、オス端子２２、２３が挿通される端子挿通孔３１ａが、メス端子３２、３３の配置場所毎に形成されている。オス端子２２、２３がメス端子３２、３３に嵌め入れられる際には、オス端子２２、２３はその端子挿通孔３１ａを通ってメス端子３２、３３に嵌め入れられる。
【００２８】
リレーボックス３０の第１メス端子３２は、メス側挟圧部３２１と傾斜部３２６とを有している。図６および図７に示すように、そのメス側挟圧部３２１には、第１オス端子２２が挿通されるように嵌め入れられ、メス側挟圧部３２１は、第１オス端子２２の板厚方向ＤＲ２にその第１オス端子２２を挟圧する。なお、第１オス端子２２を挟圧するとは、その第１オス端子２２を挟んで圧するということである。
【００２９】
詳細には、メス側挟圧部３２１は、第１オス端子２２の板厚方向ＤＲ２に厚みを有する板状の板状部３２２と、その板状部３２２に対し板厚方向ＤＲ２の一方側に配置された弾性部３２３とを有している。この弾性部３２３は弾性変形可能に構成され、板厚方向ＤＲ２において板状部３２２に対向するように配置された接点部３２３ａを有している。そして、接点部３２３ａは、弾性部３２３の弾性変形により第１オス端子２２の板厚方向ＤＲ２に変位する。
【００３０】
従って、メス側挟圧部３２１は、板状部３２２と弾性部３２３に含まれる接点部３２３ａとの間で第１オス端子２２を挟圧する。これにより、その接点部３２３ａと板状部３２２とがそれぞれ第１オス端子２２に接触し電気的に接続される。
【００３１】
図６に示すように、第１メス端子３２の傾斜部３２６は、メス側挟圧部３２１に対し一軸方向ＤＲ１の他方側に配置されている。その傾斜部３２６は、一面と他面とを有する平板形状を成し、その一面を傾斜面３２６ａとして有している。そして、その傾斜面３２６ａは、一軸方向ＤＲ１の他方側よりは一方側を向くように一軸方向ＤＲ１に対して傾いている。例えばその傾斜面３２６ａは、一軸方向ＤＲ１に対し４５度程度の角度をもって傾いている。
【００３２】
詳細には、その傾斜部３２６は板状部３２２と一体構成であり、その板状部３２２から延設されるように形成されている。そして、傾斜面３２６ａは、一軸方向ＤＲ１の他方側ほど上記板厚方向ＤＲ２の一方側に位置するように、その一軸方向ＤＲ１に対して傾いている。
【００３３】
図１および図２に示すように、リレー２０の第１オス端子２２は、リレーボックス３０の第１メス端子３２に対する一軸方向ＤＲ１の一方側からその第１メス端子３２に嵌め入れられ、それにより、第１メス端子３２はその第１オス端子２２に電気的に接続される。すなわち、一軸方向ＤＲ１とは言い換えれば、第１オス端子２２を第１メス端子３２に嵌め入れる端子嵌入方向である。
【００３４】
図３、図４、図６に示すように、第１オス端子２２は、被挟圧部２２１と弱剛性部２２２と先端部２２３とを有している。その被挟圧部２２１と弱剛性部２２２と先端部２２３は、その記載順で一軸方向ＤＲ１の一方側から順番に並んで配置されている。すなわち、先端部２２３は、被挟圧部２２１よりも一軸方向ＤＲ１の他方側に設けられている。そして、弱剛性部２２２は、その被挟圧部２２１と先端部２２３との間に位置している。
【００３５】
第１オス端子２２の被挟圧部２２１は、第１オス端子２２のうち第１メス端子３２のメス側挟圧部３２１に挟圧される部分となっている。すなわち、この被挟圧部２２１が、第１メス端子３２の板状部３２２と接点部３２３ａとの間でメス側挟圧部３２１に挟圧される。
【００３６】
そして、メス側挟圧部３２１は第１オス端子２２の板厚方向ＤＲ２に第１オス端子２２を挟圧するが、その挟圧方向としての板厚方向ＤＲ２とは、厳密に言えば、被挟圧部２２１の板厚方向である。
【００３７】
第１オス端子２２の弱剛性部２２２は、被挟圧部２２１に比して曲がり易い構成となっている。すなわち、弱剛性部２２２は、被挟圧部２２１に比して曲げ剛性が低い。
【００３８】
例えば図３に示すように、本実施形態では、弱剛性部２２２は、被挟圧部２２１に比して薄く形成されている。要するに、弱剛性部２２２の厚みは被挟圧部２２１の厚みよりも小さい。更に、図４に示すように、第１オス端子２２には、弱剛性部２２２の位置にて端子幅方向ＤＲ３に切り込んだ切欠き２２２ａが設けられており、これにより、弱剛性部２２２は、被挟圧部２２１に比して幅狭に形成されている。これらの形状によって、弱剛性部２２２は、被挟圧部２２１に比して曲がり易くなっている。なお、第１オス端子２２の端子幅方向ＤＲ３は、一軸方向ＤＲ１と第１オス端子２２の板厚方向ＤＲ２とのそれぞれに直交する方向であり、本実施形態では第２オス端子２３の板厚方向に一致する。
【００３９】
また、図３および図４に示すように、弱剛性部２２２と先端部２２３とを比較すると、弱剛性部２２２の厚みは先端部２２３の厚みと同じである。その一方で、弱剛性部２２２は、先端部２２３よりも端子幅方向ＤＲ３において幅狭に形成されている。従って、弱剛性部２２２は、先端部２２３との比較でも曲がり易くなっている。
【００４０】
また、図３および図４に示すように、リレー２０がリレーボックス３０へ装着される前のリレー装着前状態では、第１オス端子２２の弱剛性部２２２は一軸方向ＤＲ１に対して曲がっていないので、被挟圧部２２１、弱剛性部２２２、および先端部２２３は全体として一軸方向ＤＲ１に沿って延びている。そして、被挟圧部２２１も先端部２２３も平板状であるが、リレー装着前状態での一軸方向ＤＲ１に沿った先端部２２３の長さは、被挟圧部２２１に比して短くなっている。
【００４１】
また、図２および図６に示すように、オス端子２２、２３がメス端子３２、３３にそれぞれ嵌め入れられた状態すなわちリレー装着状態において、第１オス端子２２の先端部２２３は、弱剛性部２２２が曲がることにより、第１メス端子３２の傾斜面３２６ａに沿った姿勢になっている。
【００４２】
リレー装着状態では、上記のように第１オス端子２２の弱剛性部２２２が曲がっているので、図２および図６に示すように、第１オス端子２２の先端部２２３は、第１メス端子３２の弾性部３２３に対し一軸方向ＤＲ１に重ねて設けられることになる。そのため、例えば第１メス端子３２から一軸方向ＤＲ１の一方側へ第１オス端子２２を引き抜く外力が第１オス端子２２に作用した場合には、先端部２２３が第１メス端子３２の弾性部３２３に当接して係止される。これによって、上記外力による一軸方向ＤＲ１の一方側への第１オス端子２２の移動が妨げられる。
【００４３】
図３および図５に示すように、リレー２０の第２オス端子２３は、一般的なオス端子である。従って、第２オス端子２３は、第１オス端子２２の弱剛性部２２２に相当する部分を有してはおらず、リレー装着状態においても曲がらない。
【００４４】
図１に示すように、リレーボックス３０の第２メス端子３３は、一般的なメス端子である。第２メス端子３３には、その第２メス端子３３に対する一軸方向ＤＲ１の一方側からリレー２０の第２オス端子２３が嵌め入れられる。これにより、第２メス端子３３はその第２オス端子２３に電気的に接続される。また、リレー２０の第２オス端子２３はリレー装着状態においても曲がらないので、第２メス端子３３は、第１メス端子３２の傾斜部３２６に相当する部分を有していない。
【００４５】
次に、リレー２０をリレーボックス３０に装着し電子装置１０を完成させる方法、要するに電子装置１０の製造方法について、図８のフローチャートを用いて説明する。図８に示すように、先ず、準備工程に対応するステップＳ０１にて、複数のオス端子２２、２３を有するリレー２０と、複数のメス端子３２、３３を有するリレーボックス３０とが用意される。この用意されるリレー２０はリレー装着前状態であるので、具体的には、図３〜図５に示された状態となっている。
【００４６】
続く接続工程に対応するステップＳ０２にて、リレー２０の複数のオス端子２２、２３がリレーボックス３０の複数のメス端子３２、３３にそれぞれ嵌め入れられる。これにより、複数のオス端子２２、２３は複数のメス端子３２、３３にそれぞれ電気的に接続される。
【００４７】
このステップＳ０２では、図２および図６に示すように、第１オス端子２２が第１メス端子３２に一軸方向ＤＲ１の一方側から嵌め入れられた際には、第１オス端子２２の先端部２２３が第１メス端子３２の傾斜面３２６ａに当接する。そして、その先端部２２３が傾斜面３２６ａに当接した状態で更に第１オス端子２２が一軸方向ＤＲ１の他方側へ進むと、その先端部２２３は、傾斜面３２６ａに摺動しつつ、傾斜面３２６ａに沿った向きになるように傾斜部３２６によって案内される。
【００４８】
その結果、その先端部２２３が傾斜面３２６ａに沿った姿勢になるように、第１オス端子２２の弱剛性部２２２が第１メス端子３２の傾斜部３２６によって曲げられる。要するに、第１オス端子２２は、その弱剛性部２２２にて局所的に曲がる。このステップＳ０２が完了すると、リレーボックス３０に対するリレー２０の装着が完了する。
【００４９】
上述したように、本実施形態によれば、図２および図６に示すように、第１オス端子２２が第１メス端子３２に嵌め入れられた際に、その第１メス端子３２の傾斜部３２６は、第１オス端子２２の先端部２２３が傾斜面３２６ａに沿った姿勢になるように弱剛性部２２２を曲げる。従って、リレー装着状態を保持する抜止め防止構造を、第１オス端子２２自体に備えさせることが可能である。そのため、特許文献１または特許文献２に記載のリレーの筐体に設けられたロック構造が不要になるので、電子装置１０の占有スペースの肥大化を抑制することが可能である。別言すれば、その電子装置１０の省スペース化を図ることが可能である。
【００５０】
また、第１オス端子２２自体が抜止め防止構造を備えているので、リレー２０およびリレーボックス３０それぞれの構造が、上記ロック構造を設けることに起因して複雑化することを防止することが可能である。そして、そのような複雑化の防止は、延いては、電子装置１０のコスト低減にもつながる。
【００５１】
また、本実施形態によれば、図３および図４に示すように、第１オス端子２２の弱剛性部２２２は、被挟圧部２２１に比して薄く形成されることと、被挟圧部２２１に比して幅狭に形成されることとの両方により、被挟圧部２２１に比して曲がり易くなっている。従って、単純な構成で第１オス端子２２に、曲がり易い弱剛性部２２２を設けることが可能である。
【００５２】
また、本実施形態によれば、図２および図６に示すように、第１メス端子３２において傾斜部３２６は板状部３２２から延設されている。そして、その傾斜部３２６の傾斜面３２６ａは、一軸方向ＤＲ１の他方側ほど第１オス端子２２の板厚方向ＤＲ２の一方側に位置するように一軸方向ＤＲ１に対して傾いている。従って、例えばプレス加工によって傾斜部３２６とメス側挟圧部３２１とを一体に成形することが容易である。
【００５３】
また、本実施形態によれば、図３〜図５に示すように、リレー２０は、第１オス端子２２のほかに、第２オス端子２３も備えている。従って、第１オス端子２２自体に抜止め防止構造を備えさせつつ、汎用的なオス端子を第２オス端子２３として流用することが可能である。
【００５４】
また、本実施形態によれば、図３〜図５に示すように、リレー２０が有する複数のオス端子２２、２３のうち、一軸方向ＤＲ１を法線方向とした平面に沿って複数のオス端子２２、２３が占めるオス端子領域の中心に最も近いオス端子は、第１オス端子２２である。例えば図３中では、２つの第１オス端子２２のうちの左側（第２オス端子２３に近い側）の第１オス端子２２が、そのオス端子領域の中心に最も近いオス端子に該当する。従って、リレー２０が有する複数のオス端子２２、２３に第２オス端子２３が含まれる場合にも効果的な上記抜止め防止構造を提供することが可能である。
【００５５】
（他の実施形態）
（１）上述の実施形態では図３および図４に示すように、第１オス端子２２の弱剛性部２２２は、被挟圧部２２１に比して薄く形成されることと、被挟圧部２２１に比して幅狭に形成されることとの両方により、被挟圧部２２１に比して曲がり易くなっている。しかしながら、これは一例であり、弱剛性部２２２は、被挟圧部２２１に比して薄く形成されることと、被挟圧部２２１に比して幅狭に形成されることとの何れかにより、被挟圧部２２１に比して曲がり易くなっていてもよい。更に言えば、弱剛性部２２２は、被挟圧部２２１に比して曲がり易くなっていれば、その形状に限定はない。
【００５６】
（２）上述の実施形態では図１に示すように、リレーボックス３０は、第１メス端子３２と第２メス端子３３とを備えているが、その２種類のメス端子３２、３３のうち第１メス端子３２だけを備え第２メス端子３３を備えていなくてもよい。
【００５７】
（３）上述の実施形態では図１に示すように、リレー２０の第２オス端子２３はリレーボックス３０の第２メス端子３３に嵌め入れられるが、第１メス端子３２と第２メス端子３３との何れに嵌め入れられても差し支えない。
【００５８】
（４）上述の実施形態では図１および図３に示すように、リレー２０は、第１オス端子２２と第２オス端子２３とを備えているが、その２種類のオス端子２２、２３のうち第１オス端子２２だけを備え第２オス端子２３を備えていなくてもよい。
【００５９】
（５）上述の実施形態では図１に示すように、リレー２０には、第１オス端子２２も第２オス端子２３も複数設けられているが、それぞれ複数である必要はない。また、このことは、リレーボックス３０に設けられた第１メス端子３２および第２メス端子３３についても同様である。
【００６０】
（６）上述の実施形態では図１に示すように、リレー２０が複数のオス端子２２、２３を備え、リレーボックス３０が複数のメス端子３２、３３を備えているが、これは一例である。逆に、リレー２０が複数のメス端子３２、３３を備え、リレーボックス３０が複数のオス端子２２、２３を備えていることも考え得る。
【００６１】
（７）上述の実施形態では図１および図７に示すように、リレーボックス３０のメス端子３２、３３は何れもファストン型の端子であるが、ファストン型以外の端子であっても差し支えない。
【００６２】
（８）上述の実施形態では図４に示すように、第１オス端子２２の弱剛性部２２２は、先端部２２３よりも端子幅方向ＤＲ３において幅狭に形成されているが、その先端部２２３と同じ幅であることも考え得る。
【００６３】
（９）なお、本発明は、上述の実施形態に限定されることなく、種々変形して実施することができる。また、上記実施形態において、実施形態を構成する要素は、特に必須であると明示した場合および原理的に明らかに必須であると考えられる場合等を除き、必ずしも必須のものではないことは言うまでもない。
【００６４】
また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【符号の説明】
【００６５】
２０        リレー（電磁継電器）
２２        第１オス端子（オス端子）
３０        リレーボックス
３２        第１メス端子（メス端子）
２２１      被挟圧部
２２２      弱剛性部
２２３      先端部
３２１      メス側挟圧部
３２６      傾斜部
３２６ａ    傾斜面
【図１】
2018101537.tif 000003
【図２】
2018101537.tif 000004
【図３】
2018101537.tif 000005
【図４】
2018101537.tif 000006
【図５】
2018101537.tif 000007
【図６】
2018101537.tif 000008
【図７】
2018101537.tif 000009
【図８】
2018101537.tif 000010